(57)【特許請求の範囲】
【請求項１】
ファインダ視野内に複数の焦点検出領域をスーパーインポーズ表示する表示手段を有し、前記焦点検出領域を任意に選択可能にする焦点検出領域手動選択モードと焦点検出領域自動選択モードを少なくとも持つファインダ内表示装置において、
前記表示手段を制御する表示制御手段を有し、
前記表示制御手段は、
前記焦点検出領域自動選択モードにおいて、第１の表示モードでスーパーインポーズ表示させる一方、前記焦点検出領域手動選択モードにおいて、前記第１の表示モードとは異なる第２の表示モードで、現在選択されている焦点検出領域と該焦点検出領域以外の焦点検出領域の表示形態を異ならせて両領域ともにスーパーインポーズ表示させ、
前記焦点検出領域自動選択モードでの合焦の際には合焦している焦点検出領域をスーパーインポーズ表示させる一方、前記焦点検出領域手動選択モードでの合焦の際には選択している焦点検出領域をスーパーインポーズ表示させ、該焦点検出領域以外の焦点検出領域のスーパーインポーズ表示をさせないことを特徴とするファインダ内表示装置。
【請求項２】
前記表示制御手段は、現在選択されている焦点検出領域を点滅表示させ、該焦点検出領域以外の焦点検出領域を点灯表示させることを特徴とする請求項１記載のファインダ内表示装置。
【請求項３】
前記表示制御手段は、現在選択されている焦点検出領域の表示形状と、該焦点検出領域以外の焦点検出領域の表示形状を異ならせることを特徴とする請求項１記載のファインダ内表示装置。
【請求項４】
前記表示制御手段は、現在選択されている焦点検出領域の表示輝度と、該焦点検出領域以外の焦点検出領域の表示輝度を異ならせることを特徴とする請求項１記載のファインダ内表示装置。
【請求項５】
前記表示制御手段は、現在選択されている焦点検出領域の表示の色と、該焦点検出領域以外の焦点検出領域の表示の色を異ならせることを特徴とする請求項１記載のファインダ内表示装置。
【請求項６】
前記表示制御手段は、前記焦点検出領域の選択が為された後は、予め定められた時間が経過すると前記焦点検出領域の表示を消灯することを特徴とする請求項１ないし５のいずれかに記載のファインダ内表示装置。
【発明の詳細な説明】
【０００１】
【発明の属する技術分野】
本発明は、ファインダ視野内に焦点検出領域をスーパーインポーズ表示する表示手段を有するファインダ内表示装置の改良に関するものである。
【０００２】
【従来の技術】
従来より、複数の焦点検出領域を有するカメラ等において用いられ、選択された焦点検出領域をファインダ視野内の被写体像に重ねて表示する所謂スーパーインポーズ表示技術が知られている。例えば、ピント板の近傍に液晶などの透過率可変の表示素子を重ねて配置し、ピント板上のファインダ像と表示素子の情報パターンとを重ねて観察するファインダ内表示装置や、予めピント板上に表示すべき情報を刻印しておき、その刻印をＬＥＤ等の光源で照明することによって視野内に情報表示するファインダ内表示装置が知られている。
【０００３】
しかしながら、液晶などの表示素子を用いた前者のファインダ内表示装置では、液晶パネルの光軸方向の位置が撮影レンズのピント板上結像位置と正確には一致せず、ファインダ観察時の視度が若干ずれることや明快でデリケートな視感が要求される一眼レフカメラのファインダ光路中に常に液晶部材が存在することになり、著しいファインダ像の品位と光量の低下を免れない。
【０００４】
また、ピント板上に予め情報を刻印しておく後者のファインダ内表示装置では、情報を表示する位置に予め刻印をしておかなければならないため、任意の位置に情報を表示出来ないという問題がある。更に、刻印された情報はＬＥＤ等の光源で照明され、表示されていない時も常にファインダ内で視認されるため、表示情報が多くなるとファインダ視野内が煩雑になり、ファインダ像が見づらくなるという問題もある。
【０００５】
上記の問題を解決するために、特開平７−３３３７１１号では、ファインダ光路外に複数の光源から成るＬＥＤアレイを配置し、焦点検出装置または視線検出装置によって選択された焦点検出領域をファインダ視野内に表示するファインダ内表示装置が提案されている。
【０００６】
近年、焦点検出を行う点が超多点化する傾向にあり、該装置によれば上記問題を解決しつつ超多点の焦点検出に対応した焦点検出領域の表示が可能となる。
【０００７】
【発明が解決しようとする課題】
しかしながら、特開平７−３３３７１１号に提案の従来装置によれば、選択された焦点検出領域のみをスーパーインポーズ表示しているため、焦点検出を行う点が増えるに従い、全焦点検出領域に対し現在選択している焦点検出領域がどの位置に位置しているのかが判りづらいと言う欠点が生じてくる。特に焦点検出領域を撮影者が任意に選択する場合、一番端の焦点検出領域を選択したつもりが実は一つ内側の焦点検出領域を選択していたり、焦点検出領域を移動する際に移動先の指標となるものが無いために操作にまごついてしまうと言う問題がある。
【０００８】
（発明の目的）
本発明の目的は、誤選択することなく、スムーズに焦点検出領域の選択を行うことのできるファインダ内装置を提供しようとするものである。
【０００９】
【課題を解決するための手段】
上記目的を達成するために、本発明は、ファインダ視野内に複数の焦点検出領域をスーパーインポーズ表示する表示手段を有し、前記焦点検出領域を任意に選択可能にする焦点検出領域手動選択モードと焦点検出領域自動選択モードを少なくとも持つファインダ内表示装置において、前記表示手段を制御する表示制御手段を有し、前記表示制御手段が、前記焦点検出領域自動選択モードにおいて、第１の表示モードでスーパーインポーズ表示させる一方、前記焦点検出領域手動選択モードにおいて、前記第１の表示モードとは異なる第２の表示モードで、現在選択されている焦点検出領域と該焦点検出領域以外の焦点検出領域の表示形態を異ならせて両領域ともにスーパーインポーズ表示させ、前記焦点検出領域自動選択モードでの合焦の際には合焦している焦点検出領域をスーパーインポーズ表示させる一方、前記焦点検出領域手動選択モードでの合焦の際には選択している焦点検出領域をスーパーインポーズ表示させ、該焦点検出領域以外の焦点検出領域のスーパーインポーズ表示をさせないファインダ内表示装置とするものである。
【００１０】
【発明の実施の形態】
以下、本発明を図示の実施の形態に基づいて詳細に説明する。
【００１１】
図１は本発明の実施の第１の形態に係る一眼レフカメラの概略図であり、同図において、１は撮影レンズであり、本実施の形態では便宜上１ａ，１ｂの２枚レンズで示しているが、実際はさらに多数のレンズから構成されていることは周知の通りである。２は主ミラーであり、観察状態の時は撮影光路に斜設され、撮影状態時は退去される。３はサブミラーであり、主ミラー２を透過した光束をカメラボディの下方へ向けて反射する。４はシャッタ、５は撮影画像を記録するための感光部材であり、銀塩フィルム或いはＣＣＤやＭＯＳ型等の固体撮像素子あるいはビディコン等の撮像管である。６は、結像面近傍に配置されたフィールドレンズ６ａ、反射ミラー６ｂ及び６ｃ、２次結像レンズ６ｅ、絞り６ｄ、複数のＣＣＤから成るラインセンサ６ｆ等から構成されている周知の位相差方式の焦点検出装置であり、図４で後述するファインダ視野内の焦点検出領域５０〜９４の位置において、被写界の４５箇所の領域を焦点検出可能なように構成されている。
【００１２】
７は撮影レンズ１の予定結像面に配置されたピント板、８はファインダ視野領域を形成する視野マスクである。９はファインダ光路変更用のペンタダハプリズムであり、該ペンタダハプリズム９の射出面後方には、例えば可視光を透過し赤外光を反射させるダイクロイックミラーから成る光分割器１０、接眼レンズ１１が配置され、ピント板７に結像された被写体像の光束が撮影者の眼球１２に達し観察される。１３，１４は観察画面内の被写体輝度を測定するための結像レンズと測光センサであり、結像レンズ１３はペンタダハプリズム９内の反射光路を介してピント板７と測光センサ１４を共役な結像関係に位置付けている。１５ａ〜１５ｆは従来より一眼レフカメラ等に用いられている光源の角膜反射による反射像と瞳孔の関係から視線方向を検出するための撮影者の眼球１２を照明する光源であり、赤外発光ダイオードから成り、接眼レンズ１１の回りに配置されている。
【００１３】
照明された眼球像（角膜反射による虚像）は接眼レンズ１１を透過し光分割器１０で反射され、受光レンズ１７によってＣＣＤ等の光電素子列を２次元的に配したイメージセンサ１８上に結像される。受光レンズ１７は撮影者の眼球１２の瞳孔とイメージセンサ１８を共役な結像関係に位置付けている。イメージセンサ１８上に結像された眼球像と光源１５ａ〜１５ｆの角膜反射による虚像の位置関係から所定のアルゴリズムで視線方向を検出する。
【００１４】
１９は明るい被写体の中でも視認できる赤外光を発する高輝度ＬＥＤ、２０は前記ＬＥＤ１９と撮影者の瞳孔を共役な結像関係にして、効率よく観察者の瞳孔へ入射するための所謂コンデンサレンズの働きをしている集光レンズである。２１は前記４５個の焦点検出領域を複数のセグメントによりパターン化し、選択されたセグメント領域のみを光透過可能とする電解効果型のツイステッドネマティックモード（Twisted Nematic Mode）を利用したＴＮ液晶表示器から成るスーパーインポーズ用ＬＣＤである。前記ＬＥＤ１９から発せられた光束は、集光レンズ２０、スーパーインポーズ用ＬＣＤ２１の透過セグメントを通過し、投光レンズ２２及び可視光を透過して赤外光を反射するダイクロイックミラーから成る光分割器１６を介し光分光器１０に達する。ここでピント板７に結像された被写体像と透過セグメントのパターンが重ねて表示され、接眼レンズ１１を介して観察者の眼球１２に達し、観察される。
【００１５】
２３はファインダ視野外に撮影情報を表示するためのファインダ内ＬＣＤであり、照明用ＬＥＤ２４（Ｆ−ＬＥＤ）によって照明され、前記ＬＣＤ２３を透過した光が三角プリズム２５によってファインダ内に導かれ、ファインダ視野外に表示され、撮影者は撮影情報を知ることができる。
【００１６】
２６は撮影レンズ１内に設けた絞り、２７は絞り制御回路１１０を含む絞り駆動装置、２８はレンズ駆動用モータ、２９は駆動ギヤ等から成るレンズ駆動部材である。３０はフォトカプラーであり、レンズ駆動部材２９に連動するパルス板３１の回転を検知してレンズ焦点調節回路１０９に伝えている。焦点調節回路１０９は、この情報とカメラ側からのレンズ駆動量の情報に基づいてレンズ駆動用モータ２８を所定量駆動させ、撮影レンズ１ａを合焦位置に移動させるようになっている。３２は公知のカメラとレンズとのインターフェイスとなるマウント接点である。
【００１７】
図２は前記構成の一眼レフカメラに内蔵された電気的構成を示すブロック図であり、図１と同一のものは同一番号を付けている。
【００１８】
カメラ本体に内蔵されたマイクロコンピュータの中央処理装置（以下、ＣＰＵと記す）１００には、視線検出回路１０１，測光回路１０２，自動焦点検出回路１０３，信号入力回路１０４，ＬＣＤ駆動回路１０５，ＩＲＥＤ駆動回路１０６，シャッタ制御回路１０７，モータ制御回路１０８、及び、ＬＥＤ駆動回路１１１が接続されている。また、撮影レンズ１内に配置された焦点調節回路１０９，絞り制御回路１１０とは、図１で示したマウント接点３２を介して信号の伝達がなされる。ＣＰＵ１００に付随したＥＥＰＲＯＭ１００ａは、各種調整データを記憶する記憶機能を有している。
【００１９】
前記視線検出回路１０１は、イメージセンサ１８（ＣＣＤ−ＥＹＥ）からの眼球像の出力をＡ／Ｄ変換し、この像情報をＣＰＵ１００に送信し、該ＣＰＵ１００は視線検出に必要な眼球像の各特徴点を所定のアルゴリズムに従って抽出し、更に各特徴点の位置から撮影者の視線を算出する。前記測光回路１０２は、測光センサ１４からの被写界の明るさに対応した輝度信号出力を増幅後、対数圧縮、Ａ／Ｄ変換し、各センサの被写界輝度情報としてＣＰＵ１００に送信する。測光センサ１４は多分割されたファインダ視野（不図示）の各領域に対応したＳＰＣ−Ａ〜ＳＰＣ−Ｏの１５のフォトダイオードから構成されている。ラインセンサ６ｆは前述のように画面内の４５の焦点検出領域５０〜９４に対応した４５組のラインセンサＣＣＤ−１〜ＣＣＤ−４５から構成される公知のＣＣＤラインセンサである。前記自動焦点検出回路１０３は、前記ラインセンサ６ｆにて得られた電圧をＡ／Ｄ変換し、ＣＰＵ１００に送信する。
【００２０】
前記信号入力回路１０４には、不図示のレリーズ釦の第一ストロークでＯＮし、カメラの測光，焦点検出，視線検出動作を開始するためのスイッチＳＷ１、レリーズ釦の第二ストロークでＯＮし、レリーズ動作を開始するための視線スイッチＳＷ２、カメラの撮影モードを選択するために不図示のモードダイヤル内に設けられたスイッチＳＷ−Ｍ、選択されたモードの中でさらに選択し得る設定値を選択するための不図示の電子ダイヤル内に設けられたダイヤルスイッチＳＷ−ＤＩＡＬ、視線検出か否かを選択するための不図示の視線ダイヤル内に設けられたスイッチＳＷ−Ｓ、焦点検出を自動で行うか否かを選択するためＡＭ／ＭＦ切換えスイッチスイッチＳＷ−ＡＦ／ＭＦ、焦点検出領域を自動で行うか否かを選択するための焦点検出領域選択スイッチＳＷ−Ｋ、及び、焦点検出領域の切換えを開始するための焦点検出領域切換えスイッチスイッチＳＷ−Ｃが接続され、これら各スイッチの信号が信号入力回路１０４に入力され、データバスによってＣＰＵ１００に送信される。
【００２１】
尚、ダイヤルスイッチＳＷ−ＤＩＡＬの状態変化の信号は信号入力回路１０４内のアップダウンカウンタに入力され、電子ダイヤルの回転クリック量としてカウントされ、この値がＣＰＵ１００に送信される。
【００２２】
前記ＬＣＤ駆動回路１０５は、スーパーインポーズ用ＬＣＤ２１，ファインダ内ＬＣＤ２３，モニター用ＬＣＤ４４を表示駆動させるための公知の回路であり、ＣＰＵ１００からの信号に従い、各ＬＣＤの表示内容を制御する。前記ＩＲＥＤ駆動回路１０６は、赤外発光ダイオード（ＩＲＥＤ１５ａ〜１５ｆ）を状況に応じて選択的に点灯させる。前記ＬＥＤ駆動回路１１１は、照明用ＬＥＤ２４（Ｆ−ＬＥＤ）及びスーパーインポーズ用ＬＥＤ１９（ＳＩ−ＬＥＤ）を点灯制御する。
【００２３】
前記シャッタ制御回路１０７は、通電すると先幕を走行させるマグネットＭＧ−１と後幕を走行させるマグネットＭＧ−２を制御し、感光部材に所定光量を露光させる。前記モータ制御回路１０８は、フィルムの巻き上げ、巻戻しを行うモータＭ１と主ミラー２及びシャッタ４のチャージを行うモータＭ２を制御するためのものである。これらシャッタ制御回路１０７とモータ制御回路１０８によって一連のカメラのレリーズシーケンスが行われる。
【００２４】
図３は、スーパーインポーズ用ＬＣＤ２１の全表示セグメントの内容を示した図である。
【００２５】
同図において、５０〜９４は、焦点検出を行うための４５組のラインセンサＣＣＤ−１〜ＣＣＤ−４５に対応し、レンズ合焦時、あるいは、後述する焦点検出領域選択手段または視線検出により選択された焦点検出領域をファインダ視野内にスーパーインポーズ表示するための焦点検出領域セグメントである。これらの焦点検出領域セグメントの内いずれかがスーパーインポーズ表示されることにより、選択された焦点検出領域の確認を行える。２１ａは前記セグメントにＬＣＤ駆動回路１０５からの信号を伝達するための不図示のプリント基板とのコネクト部である。
【００２６】
図４は、カメラのファインダ画面内に表示される表示内容を全て表示させた状態を示すファインダ視野図である。
【００２７】
同図において、８は視野マスク、７ａはピント板７に形成された焦点検出領域を示す焦点検出視野枠である。該焦点検出視野枠内には前述の焦点検出領域セグメント５０〜９４がスーパーインポーズ表示される。ファインダ視野外には合焦時に点灯する合焦マーク４０とシャッタスピード表示部４１と絞り表示部４２、視線検出モード状態を示す視線入力マーク４３が表示される。
【００２８】
図５は上記構成における一眼レフカメラの一連の動作を示すフローチャ−トであり、以下、図４、図６及び図７を用いて説明する。
【００２９】
カメラを不作動状態から所定の撮影モードに設定すると（本実施の形態では、シャッタ優先ＡＥに設定された場合をもとに説明する）、カメラの電源がＯＮされ（＃１００）、ＣＰＵ１００はレリーズ釦が押し込まれてスイッチＳＷ１がＯＮされるまで待機する（＃１０１）。レリーズ釦が押し込まれ、スイッチＳＷ１がＯＮされたことを信号入力回路１０４を介して検知すると、ＣＰＵ１００はカメラに装着されたレンズとの間で相互通信を行い、カメラが測光や焦点検出を実行するのに必要なレンズ情報、例えば撮影レンズの開放ＦNO. 、ベストピント位置等の情報をメモリに取り込む。また、ここで４５組のラインセンサＣＣＤ−１〜ＣＣＤ−４５は被写界光の蓄積動作を開始し、現時点での像ずれ量（デフォーカス量）を測定する（＃１０２）。
【００３０】
次に、焦点検出を行うために視線検出モードか否かの設定確認を行う（＃１０３）。視線スイッチＳＷ−ＳがＯＮされていると視線検出の原理に基づき視線検出を実行し（＃１０４）、撮影者の視線方向に対応した焦点検出領域を決定する。この時、ＬＣＤ駆動回路１０５は図４のファインダ内ＬＣＤ２３の視線入力マーク４３を点灯させ、撮影者に視線検出モードであることを知らしめる。尚、視線検出の原理については本発明とは関係ないため、ここでの説明は割愛する。
【００３１】
また、視線スイッチＳＷ−ＳがＯＦＦの場合は、焦点検出領域選択スイッチＳＷ−Ｋが自動選択モードになっているか、手動選択モードになっているかの設定確認を行う（＃１０５）。自動選択モードに設定されたならば、図６に示すように焦点検出領域５０〜９４のうち、外周部の焦点検出領域５０〜５７，６６，６７，７７，７８，８７〜９４を点灯表示し、自動選択モードに設定されたことを撮影者に知らしめる。また、ファインダ視野外の表示も焦点検出領域選択モードが自動選択モードであることが判るように、シャッタスピード表示部４１に［  ］の表示を、絞り表示部４２にＡＦ（オートフォーカス）の表示を、それぞれ行う。そして、所定時間経過後、前記焦点検出領域及びファインダ視野外の表示を消する。
【００３２】
前記自動選択モードでは、前記４５個の焦点検出領域における像ずれ量を基に、焦点検出領域自動選択サブルーチン（＃１０６）によって特定の焦点検出領域を選択する。焦点検出領域自動選択のアルゴリズムとしてはいくつかの方法が考えられるが、多点ＡＦカメラでは公知となっている中央焦点検出領域に重み付けを置いた近点優先アルゴリズムが有効である。一方、焦点検出領域選択スイッチＳＷ−Ｋが手動選択モードになっていれば、焦点検出領域手動選択モードに入り（＃１０７）、撮影者による任意の焦点検出領域への切換えが可能となる。焦点検出領域の切換えは焦点検出領域切換えスイッチＳＷ−Ｃをオンにし（＃１１６）、撮影者が電子ダイヤルを操作することでこれに応答してダイヤルスイッチＳＷ−ＤＩＡＬが状態変化し、この信号により該焦点検出領域の位置を１個づづ順次変えることができ、撮影者は焦点検出領域４５個の内の１個を任意に選択することが可能となる（＃１１７）。
【００３３】
尚、焦点検出領域手動選択モードを選択し、焦点検出領域切換えスイッチＳＷ−Ｃがオンされているときは、図７に示すように現在選択されている焦点検出領域のみ点滅表示とし、他の焦点検出領域は点灯表示とすることで、全焦点検出領域に対する現在選択されている焦点検出領域の位置を把握できるようにしている。また、ファインダ視野外の表示も焦点検出領域選択モードが手動選択モードであることが判るように、シャッタスピード表示部４１にＳＥＬの表示を、絞り表示部４２にＡＦの表示を、それぞれ行う。そして、所定時間経過後、前記焦点検出領域及びファインダ視野外の表示を消する。
【００３４】
また、焦点検出領域切換えスイッチＳＷ−Ｃ及びダイヤルスイッチＳＷ−ＤＩＡＬの状態変化の信号が入力されないときは、今まで選択されていた焦点検出領域となる。
【００３５】
上記のカメラ任せの自動選択、あるいは撮影者の手動入力、あるいは視線検出による選択によって、焦点検出領域が確定する（＃１０８）。
【００３６】
次に、確定された焦点検出領域において、自動焦点検出回路１０３は焦点検出演算を行い、焦点検出可能であるか否かを判定し（＃１０９）、不能であればＣＰＵ１００はＬＣＤ駆動回路１０５に信号を送って図４のファインダ内ＬＣＤ２３の合焦マーク４０を点滅させ、焦点検出がＮＧであることを撮影者に警告する。一方、焦点検出が可能であり、所定のアルゴリズムで選択された焦点検出領域または視線検出により選択された焦点検出領域、または、手動で選択した焦点検出領域の焦点調節状態が合焦でなければ、ＣＰＵ１００はレンズ焦点調節回路１０９に信号を送って所定量撮影レンズ１を駆動させる（＃１１０）。
【００３７】
レンズ駆動後は、撮影レンズ１が合焦しているか否かの判定を行う（＃１１１）。所定の焦点検出領域において撮影レンズ１が合焦していたならば、ＣＰＵ１００はＬＣＤ駆動回路１０５に信号を送ってスーパーインポーズ用ＬＣＤ２１及びファインダ内ＬＣＤ２３の制御を行い、さらにＬＥＤ駆動回路１１１にも信号を送って、Ｆ−ＬＥＤ２４及びＳＩ−ＬＥＤ１９を点灯させることによってそれぞれ、図４中の合焦マーク４０及び焦点検出領域自動選択モードを選択時は合焦している焦点検出領域５０〜９４の少なくとも一つ以上を、焦点検出領域手動選択モード及び視線検出モード時は、選択されている焦点検出領域をスーパーインポーズ表示することによって、撮影レンズが合焦状態にあることと、合焦している焦点検出領域の位置を撮影者に知らしめる。また同時に、ＣＰＵ１００は測光回路１０２に信号を送信して測光を行わせる（＃１１２）。
【００３８】
次に、撮影者が該焦点検出領域位置でのピント状態と測光値を容認しているか否かの判定をスイッチＳＷ１のＯＮ，ＯＦＦで判定し（＃１１３）、さらにレリーズ釦が押し込まれてスイッチＳＷ２がＯＮされているかどうかの判定を行い、スイッチＳＷ２がＯＦＦ状態であれば再びスイッチＳＷ１の状態の確認を行う（＃１１４）。また、スイッチＳＷ２がＯＮされたならばＣＰＵ１００はシャッタ制御回路１０７，モータ制御回路１０８，絞り駆動回路１１０にそれぞれ信号を送信する。具体的には、まずモータＭ２に通電し、主ミラー２をアップさせ、絞り２６を絞り込んだ後、マグネットＭＧ１に通電してシャッタ４の先幕を開放する。絞り２６の絞り値及びシャッタ４のシャッタスピードは、前記測光回路１０２にて検知された露出値とフィルム５の感度から決定される。所定のシャッタ秒時経過後、マグネットＭＧ２に通電し、前記シャッタ４の後幕を閉じる。フィルム５への露光が終了すると、前記モータＭ２に再度通電し、ミラーダウン，シャッタチャージを行うと共にモータＭ１にも通電し、フィルムの１駒送りを行い、一連のシャッタレリーズシーケンスの動作が終了する（＃１１５）。その後、カメラは再びスイッチＳＷ１がＯＮされるまで待機する（＃１０１）。
【００３９】
（実施の第２の形態）
上記実施の第１の形態では、焦点検出領域手動選択時に全焦点検出領域に対して現在選択されている焦点検出領域の位置を撮影者に把握させるようにするため、撮影者により選択されている焦点検出領域のみを点滅表示とし、他の焦点検出領域は点灯表示とするようにしているが、本発明の実施の第２の形態においては、選択されている焦点検出領域と他の焦点検出領域の形状を異ならせることにより、現在選択されている焦点検出領域の位置を撮影者に把握させきるようにするものである。
【００４０】
図８に、スーパーインポーズ用ＬＣＤ２１の全表示セグメントの内容を示す。
【００４１】
１５０〜１９４は焦点検出を行うための４５組のラインセンサＣＣＤ−１〜ＣＣＤ−４５に対応し、レンズ合焦時、あるいは、焦点検出点選択手段または視線検出により選択された焦点検出領域をファインダ視野内にスーパーインポーズ表示するための焦点検出領域セグメントである。これらの焦点検出領域セグメントの内いずれかががスーパーインポーズ表示されることにより、選択された焦点検出領域の確認を行えることになる。また、前記１５０〜１９４の個々の焦点検出領域セグメントは１９４ａ，１９４ｂに示すように二重枠から形成されている。
【００４２】
２１ａは前記セグメントにＬＣＤ駆動回路１０５からの信号を伝達するための不図示のプリント基板とのコネクト部である。
【００４３】
図９は、焦点検出領域手動選択モード時にファインダ画面内に表示される表示内容を示したファインダ視野図である。
【００４４】
８は視野マスク、７ａはピント板７に形成された焦点検出領域を示す焦点検出視野枠である。該焦点検出視野枠内には現在選択されている焦点検出領域（ここでは一例として１９４の焦点検出領域が選択されている状態を示す）と他の焦点検出領域が表示される。現在選択されている焦点検出領域は１９４ａと１９４ｂのセグメントを点灯させることで二重枠で表示し、他の焦点検出領域は二重枠のセグメントの内どちらか一方のセグメントのみを点灯させることで、全焦点検出領域に対する現在選択されている焦点検出領域の位置を撮影者に把握させるようにしている。
【００４５】
また、ファインダ視野外の表示も焦点検出領域選択モードが手動選択モードであることが判るように、シャッタスピード表示部４１にＳＥＬの表示を、絞り表示部４２にＡＦの表示を、それぞれ行う。そして、所定時間経過後、前記焦点検出領域及びファインダ視野外の表示を消する。
【００４６】
なお、この実施の第２の形態では、一例として二重枠と一重枠の形状の違いで現在選択されている焦点検出領域の位置を把握できるようにしているが、形状はこれに限定されるものではなく、円形等差別化できる形状であれば同様に適用できるものである。
【００４７】
上記以外のカメラの構成や動作は、上記実施の第１の形態と同一のため、その説明は割愛する。
【００４８】
（実施の第３の形態）
上記実施の第１及び第２の形態では、焦点検出領域のスーパーインポーズ表示を、高輝度ＬＥＤ１９，集光レンズ２０，複数のセグメントをパターン化したＬＣＤ２１により行っていたが、本発明の実施の第３の形態においては、これに代え、図１０に示す様に、４５点の焦点検出領域に対応した４５個のＬＥＤを平面上に配列したＬＥＤアレイ２００を用いるようにしている。
【００４９】
レンズ合焦時、あるいは、焦点検出点選択手段または視線検出により選択された焦点検出領域に対応したＬＥＤが、ＬＥＤ駆動回路１１１により入力ピン２００ａに電圧が印加されて点灯し、ファインダ視野内にスーパーインポーズ表示される。前記ＬＥＤアレイ２００は光源が各々独立しているため、焦点検出領域手動選択モード時の全焦点検出領域に対する現在選択されている焦点検出領域の位置を撮影者に把握させる手段として、現在選択されている焦点検出領域の輝度と他の焦点検出領域の輝度を異ならせる、あるいはＬＥＤアレイ２００の個々のＬＥＤを多色ＬＥＤとし、現在選択されている焦点検出領域の色と他の焦点検出領域の色を異ならせるといったことが考えられる。
【００５０】
上記以外のカメラの構成や動作は上記実施の第１の形態と同一のため、ここではその説明は割愛する。
【００５１】
（変形例）
上記実施の第１の形態〜第３の形態では、焦点検出領域を４５点で説明しているが、この４５点以上であっても以下であっても良い。
【００５２】
また、レンズのデフォーカス量を得る為の焦点検出領域をファインダ内に表示する例を示しているが、カメラと被写体との距離を測定する為の測距領域に適用するようにしても良い。
【００５３】
また、一眼レフカメラに適用した例を述べているが、その他のカメラや、カメラ以外の情報検出用の領域を表示する機能を有する光学装置への適用も可能である。
【００５４】
また、ファインダ視野内にスーパーインポーズにより表示する例を示しているが、これに限定されるものではない。
【００５５】
また、実施の第１の形態では、現在選択されている焦点検出領域を点滅表示とし、他の焦点検出領域を点灯表示としているが、逆であっても良い。
【００５６】
【発明の効果】
以上説明したように、本発明によれば、誤選択することなく、スムーズに焦点検出領域の選択を行うことができるファインダ内表示装置を提供できるものである。
【図面の簡単な説明】
【図１】本発明の実施の第１の形態に係るカメラの概略を示す構成図である。
【図２】図１のカメラの回路構成を示すブロック図である。
【図３】図１のカメラにおけるスーパーインポーズ用ＬＣＤの全表示セグメントを示す図である。
【図４】図１のカメラにおけるファインダ視野内の表示内容を全て点灯させた状態を示す図である。
【図５】図１のカメラ全体の動作を示すフローチャートである。
【図６】図１のカメラにおける焦点検出領域自動選択モード時のファインダ視野内の表示内容を示す図である。
【図７】本発明の実施の第２の形態に係るカメラにおける焦点検出領域手動選択モード時のファインダ視野内での表示内容を示す図である。
【図８】本発明の実施の第２の形態に係るカメラにおけるスーパーインポーズ用ＬＣＤの全表示セグメントである。
【図９】本発明の実施の第２の形態係るカメラにおける焦点検出領域手動選択モード時のファインダ視野内の表示内容を示す図である。
【図１０】本発明の実施の第３の形態に係るＬＥＤアレイの発光表示部材を示す斜視図である。
【符号の説明】
１      撮影レンズ
６      焦点検出装置
１２    眼球
１９    高輝度ＬＥＤ
２１    スーパーインポーズ用ＬＣＤ
２３    ファインダ内ＬＣＤ
２４    照明用ＬＥＤ
５０〜９４，１５０〜１９４  焦点検出領域セグメント
２００  ＬＥＤアレイ
【図１】
0004365925.tif 000002
【図２】
0004365925.tif 000003
【図３】
0004365925.tif 000004
【図４】
0004365925.tif 000005
【図５】
0004365925.tif 000006
【図６】
0004365925.tif 000007
【図７】
0004365925.tif 000008
【図８】
0004365925.tif 000009
【図９】
0004365925.tif 000010
【図１０】
0004365925.tif 000011